(57)【要約】【課題】小売チェーン側において、統一することなく複数の店舗間で別個に付与されて用いられているインストアコードが示す各商品の同一性を確認する。【解決手段】小売店サーバ３１が、検索対象の商品に付与されているインストアコードの指定を受け付け、受け付けたインストアコードに対応するチェーン側商品カルテ番号を、小売チェーン商品マスタＤＢ３１ａを参照して検索し、検索したチェーン側商品カルテ番号を含む検索依頼情報を送信し、そして、コード管理サーバ１０からの検索結果情報を出力する。また、コード管理サーバ１０が、小売店サーバ３１からの検索依頼情報を受け付け、受け付けた検索依頼情報に含まれているチェーン側商品カルテ番号を含むコード管理情報をコード管理ＤＢ１１を参照して検索し、コード管理情報の一部または全部を抽出し、コード管理情報の一部または全部を検索結果情報として小売店サーバ３１に送信する。【選択図】図６
2008217174.tif 000002
【特許請求の範囲】
【請求項１】
各小売チェーンにおいてそれぞれ別個にインストアコードが付与されている商品のうち同一の商品を特定するためにコード管理を行うコード管理サーバと、小売チェーンにおいて管理される小売チェーンサーバとを備えたコード管理システムであって、
前記小売チェーンサーバは、
インストアコードと、該インストアコードが付与されている商品の商品カルテコードに対応付けして小売チェーンにて付与されるチェーン側商品カルテコードとを含む小売店管理情報を格納する小売店管理ＤＢと、
検索対象の商品に付与されているインストアコードの指定を受け付けるインストアコード受付手段と、
該インストアコード受付手段が受け付けたインストアコードに対応するチェーン側商品カルテコードを、前記小売店管理ＤＢを参照して検索するチェーン側商品カルテコード検索手段と、
該チェーン側商品カルテコード検索手段が検索したチェーン側商品カルテコードを含む検索依頼情報を送信する検索依頼情報送信手段と、
前記コード管理サーバからの検索結果情報を出力する検索結果情報出力手段とを含み、
前記コード管理サーバは、
前記商品カルテコードと、該商品カルテコードが示す商品に各小売チェーンにおいて付与されているインストアコードと、当該商品カルテコードに対応するチェーン側商品カルテコードとを含むコード管理情報を格納するコード管理ＤＢと、
前記検索依頼情報送信手段からの検索依頼情報を受け付ける検索依頼受付手段と、
該検索依頼受付手段が受け付けた検索依頼情報に含まれているチェーン側商品カルテコードを含むコード管理情報を、前記コード管理ＤＢを参照して検索し、検索したコード管理情報の一部または全部を抽出するコード管理情報検索抽出手段と、
該コード管理情報検索抽出手段が抽出したコード管理情報の一部または全部を前記検索結果情報として送信する検索結果情報送信手段とを含む
ことを特徴とするコード管理システム。
【請求項２】
前記コード管理情報は、インストアコードの適用期間と、チェーン側商品カルテコードの適用期間とを含み、
前記小売チェーンサーバは、検索する日付の指定を受け付ける日付受付手段を含み、
チェーン側商品カルテコード検索手段は、前記インストアコード受付手段が受け付けたインストアコードに対応するチェーン側商品カルテコードのうち前記日付受付手段が受け付けた日付を含む前記適用期間が対応付けされているチェーン側商品カルテコードを検索し、
前記検索依頼情報送信手段は、前記商品識別コード検索手段が検索したチェーン側商品カルテコードと前記日付受付手段が受け付けた日付とを含む検索依頼情報を送信し、
前記コード管理情報検索抽出手段は、前記検索依頼情報に含まれているチェーン側商品カルテコードのうち当該検索依頼情報に含まれている日付を含む前記適用期間が対応付けされているチェーン側商品カルテコードを含むコード管理情報を検索する
請求項１記載のコード管理システム。
【請求項３】
前記コード管理サーバは、
商品を生産あるいは製造したメーカによって当該商品に付与された商品カルテコードを含むメーカ管理情報を取得するメーカ管理情報取得手段と、
該メーカ管理情報取得手段が取得したメーカ管理情報を前記コード管理ＤＢに登録するメーカ管理情報登録手段とを含む
請求項１または請求項２記載のコード管理システム。
【請求項４】
前記コード管理サーバは、
各小売チェーンにおいて管理される各小売チェーンサーバから、インストアコードと該インストアコードが付与されている商品のチェーン側商品カルテコードとを含む小売店管理情報を取得する小売店管理情報取得手段と、
前記コード管理ＤＢに登録されている商品カルテコードのうち前記小売店管理情報取得手段が取得したチェーン側商品カルテコードに対応して登録されている商品カルテコードに対応付けして、前記小売店管理情報取得手段が取得したインストアコードを登録するインストアコード登録手段とを含む
請求項３記載のコード管理システム。
【請求項５】
前記コード管理サーバは、
前記コード管理ＤＢに登録されている商品カルテコードのうち小売店管理情報取得手段が取得したチェーン側商品カルテコードに対応する商品カルテコードに対応付けして、インストアコードの適用期間を登録あるいは更新する適用期間設定手段を含む
請求項４記載のコード管理システム。
【請求項６】
コード管理情報は、インストアコードを付与している小売チェーンを示す小売チェーン名を含む
請求項１から請求項５のうちいずれかに記載のコード管理システム。
【請求項７】
コード管理情報は、商品識別コードが付与されている商品の商品名を含む
請求項１から請求項６のうちいずれかに記載のコード管理システム。
【発明の詳細な説明】
【技術分野】
【０００１】
本発明は、各小売チェーンにおいてそれぞれ別個にインストアコードが付与されている商品のうち同一の商品を特定するためにコード管理を行うコード管理サーバと、商品を生産あるいは製造するメーカによって管理されるメーカ商品サーバとを備えたコード管理システムに関する。
【背景技術】
【０００２】
従来から、スーパーマーケット等の店舗において、購入が希望された商品に付されているバーコード等のＰＯＳコードを読み取ることで、商品単位の販売状況を把握するための情報の収集等を行うＰＯＳシステムが広く用いられている（例えば、特許文献１−２参照）。
【０００３】
【特許文献１】特開２００５−１６５６２９号公報
【特許文献２】特開２００５−２２８０２１号公報
【発明の開示】
【発明が解決しようとする課題】
【０００４】
しかしながら、上述した従来のＰＯＳシステムでは、ＰＯＳコードによって得られる情報は各店舗独自のインストアコードとされている。チェーンストアでは、一般にＪＡＮ（ＥＡＮ）コードと呼ばれる国際標準コードの形式が使用されているが、登録されている対応商品がバラバラのインストアコードが使用されているので、各チェーンストアで販売されている商品の同一性を判断することができず、例えばある商品の販売状況などを円滑にまとめることができないという問題があった。
【０００５】
なお、強制的にインストアコードを統一したＰＯＳシステムを構築することが考えられるが、そのようなＰＯＳシステムを構築するには膨大なコストと時間が必要となり、経済的な無駄が多く発生してしまう。
【０００６】
本発明は、上述した問題を解消し、統一することなく複数の店舗間で別個に付与されて用いられているインストアコードが示す各商品の同一性を容易に確認することができるようにすることを目的とする。
【課題を解決するための手段】
【０００７】
本発明のコード管理システムは、各小売チェーンにおいてそれぞれ別個にインストアコードが付与されている商品のうち同一の商品を特定するためにコード管理を行うコード管理サーバと、小売チェーンにおいて管理される小売チェーンサーバとを備えたコード管理システムであって、前記小売チェーンサーバは、インストアコードと、該インストアコードが付与されている商品の商品カルテコードに対応付けして小売チェーンにて付与されるチェーン側商品カルテコードとを含む小売店管理情報を格納する小売店管理ＤＢと、検索対象の商品に付与されているインストアコードの指定を受け付けるインストアコード受付手段と、該インストアコード受付手段が受け付けたインストアコードに対応するチェーン側商品カルテコードを、前記小売店管理ＤＢを参照して検索するチェーン側商品カルテコード検索手段と、該チェーン側商品カルテコード検索手段が検索したチェーン側商品カルテコードを含む検索依頼情報を送信する検索依頼情報送信手段と、前記コード管理サーバからの検索結果情報を出力する検索結果情報出力手段とを含み、前記コード管理サーバは、前記商品カルテコードと、該商品カルテコードが示す商品に各小売チェーンにおいて付与されているインストアコードと、当該商品カルテコードに対応するチェーン側商品カルテコードとを含むコード管理情報を格納するコード管理ＤＢと、前記検索依頼情報送信手段からの検索依頼情報を受け付ける検索依頼受付手段と、該検索依頼受付手段が受け付けた検索依頼情報に含まれているチェーン側商品カルテコードを含むコード管理情報を、前記コード管理ＤＢを参照して検索し、検索したコード管理情報の一部または全部を抽出するコード管理情報検索抽出手段と、該コード管理情報検索抽出手段が抽出したコード管理情報の一部または全部を前記検索結果情報として送信する検索結果情報送信手段とを含むことを特徴とする。
【０００８】
上記のように構成したことで、小売チェーン側において、自己が使用しているインストアコードをキーとして、統一することなく複数の店舗間で別個に付与されて用いられているインストアコードが示す各商品の同一性を容易に確認することができるようになる。よって、複数の店舗間における販売状況等を円滑に集計することが可能となる。
【０００９】
前記コード管理情報は、インストアコードの適用期間と、チェーン側商品カルテコードの適用期間とを含み、前記小売チェーンサーバは、検索する日付の指定を受け付ける日付受付手段を含み、チェーン側商品カルテコード検索手段は、前記インストアコード受付手段が受け付けたインストアコードに対応するチェーン側商品カルテコードのうち前記日付受付手段が受け付けた日付を含む前記適用期間が対応付けされているチェーン側商品カルテコードを検索し、前記検索依頼情報送信手段は、前記商品識別コード検索手段が検索したチェーン側商品カルテコードと前記日付受付手段が受け付けた日付とを含む検索依頼情報を送信し、前記コード管理情報検索抽出手段は、前記検索依頼情報に含まれているチェーン側商品カルテコードのうち当該検索依頼情報に含まれている日付を含む前記適用期間が対応付けされているチェーン側商品カルテコードを含むコード管理情報を検索する構成とされていてもよい。
【００１０】
前記コード管理サーバは、商品を生産あるいは製造したメーカによって当該商品に付与された商品カルテコードを含むメーカ管理情報を取得するメーカ管理情報取得手段と、該メーカ管理情報取得手段が取得したメーカ管理情報を前記コード管理ＤＢに登録するメーカ管理情報登録手段とを含む構成とされていてもよい。
【００１１】
前記コード管理サーバは、各小売チェーンにおいて管理される各小売チェーンサーバから、インストアコードと該インストアコードが付与されている商品のチェーン側商品カルテコードとを含む小売店管理情報を取得する小売店管理情報取得手段と、前記コード管理ＤＢに登録されている商品カルテコードのうち前記小売店管理情報取得手段が取得したチェーン側商品カルテコードに対応して登録されている商品カルテコードに対応付けして、前記小売店管理情報取得手段が取得したインストアコードを登録するインストアコード登録手段とを含む構成とされていてもよい。
【００１２】
前記コード管理サーバは、前記コード管理ＤＢに登録されている商品カルテコードのうち小売店管理情報取得手段が取得したチェーン側商品カルテコードに対応する商品カルテコードに対応付けして、インストアコードの適用期間を登録あるいは更新する適用期間設定手段を含む構成とされていてもよい。
【００１３】
コード管理情報は、更にインストアコードを付与している小売チェーンを示す小売チェーン名を含むものであってもよい。また、コード管理情報は、更に商品識別コードが付与されている商品の商品名を含むものであってもよい。
【発明の効果】
【００１４】
本発明によれば、小売チェーン側において、自己が使用しているインストアコードをキーとして、統一することなく複数の店舗間で別個に付与されて用いられているインストアコードが示す各商品の同一性を容易に確認することができるようになる。
【発明を実施するための最良の形態】
【００１５】
以下、本発明の一実施の形態について図面を参照して説明する。
図１は、本発明の一実施の形態に係るコード管理システム１００の構成の例を示すブロック図である。図１に示すように、コード管理システム１００は、コード管理サーバ１０と、商品マスタサーバ２０と、小売店サーバ３１〜３Ｎ（Ｎ：任意の正の整数）と、メーカ商品サーバ５１，５２とを含む。コード管理サーバ１０、商品マスタサーバ２０、小売店サーバ３１〜３Ｎ、およびメーカ商品サーバ５１，５２は、それぞれ、例えばインターネットなどの通信ネットワーク４０に接続されている。
【００１６】
コード管理サーバ１０、商品マスタサーバ２０、小売店サーバ３１〜３Ｎ、およびメーカ商品サーバ５１，５２は、それぞれ、ＷＷＷサーバなどの情報処理装置によって構成される。
【００１７】
コード管理サーバ１０は、例えばコード管理システム１００のシステム管理者によって管理されるサーバであり、商品が生産あるいは製造されたときにその商品に付与される商品識別コード（例えばＪＡＮコード）や各小売店にて使用されているインストアコードの管理を行うものである。
【００１８】
コード管理サーバ１０は、コード管理情報が格納されるコード管理ＤＢ１１と、メーカ生産管理情報が格納されるメーカ生産管理ＤＢ１２とを備えている。コード管理情報は、商品識別コードと各小売店にて使用されているインストアコードとの関係を管理するための情報である。メーカ生産管理情報は、商品が生産あるいは製造されたときにメーカ側によってその商品に付与された商品識別コードと、その商品識別コードが示す商品の商品名と、その商品を生産あるいは製造したメーカ名とを含む。なお、コード管理ＤＢ１１と、メーカ生産管理ＤＢ１２とは、コード管理サーバ１０の内部にあっても外部にあってもよい。また、メーカ生産管理情報は、例えば、各メーカＡ，Ｂが管理するメーカ商品サーバ５１，５２から、例えば定期的にコード管理サーバ１０に通信ネットワークを介して送信され、メーカ生産管理ＤＢ１２に蓄積される。
【００１９】
商品マスタサーバ２０は、商品の生産履歴や流通履歴を含む商品履歴情報などのその商品に関わる各種の情報を含む商品マスタが格納される商品マスタＤＢ２１を備えている。商品マスタは、商品を一意に特定するための商品マスタ番号と、その商品に付与されている商品識別コードとを含む。なお、商品マスタＤＢ２１は、商品マスタサーバ２０の内部にあっても外部にあってもよい。
【００２０】
小売店サーバ３１〜３Ｎは、それぞれ、例えば各小売チェーンＡ〜Ｘを管理する小売チェーン管理者によって管理され、各小売チェーンＡ〜Ｘにて使用されるＰＯＳ情報を格納する小売チェーン商品マスタＤＢ３１ａ〜３Ｎａを備えている。小売店サーバ３１〜３Ｎは、それぞれ、例えば各小売チェーンＡ〜Ｘ内に設置される。小売店サーバ３１〜３Ｎには、図示はしないが、各小売チェーンＡ〜Ｘ内で用いられるＰＯＳレジスタ（購入金額支払所に設置されているレジスタであって、例えば商品に付されたＰＯＳシステム用のバーコード（ＰＯＳコードの一例：以下、ＰＯＳ用バーコードという。）を読み取り、ＰＯＳ用バーコードにもとづいて特定される商品名や商品価格を用いて購入内容をレシートへ印字する機能などの各種の機能を有する。）や、小売店サーバ３１〜３Ｎの処理前にＰＯＳデータイントラ処理を行うコンピュータなどが接続されている。
【００２１】
メーカ商品サーバ５１，５２は、それぞれ、商品を生産あるいは製造するメーカＡ，Ｂによって管理され、生産あるいは製造して出荷した商品に関わる各種の情報を含むメーカ商品管理情報が格納されるメーカ管理ＤＢ５１ａ，５２ａを備えている。メーカ商品管理情報は、商品名と、商品が生産あるいは製造されたときにメーカＡによってその商品に付与されたＪＡＮコード（本例では「商品識別コード」を意味する）と、商品マスタ番号（商品マスタコードの一例）と、メーカコードと、適用期間とが対応付けされた情報である。メーカコードは、各メーカによって自己が生産あるいは製造した商品に一意に独自に割り振られるコードであって、ＪＡＮ形式などの特定の標準形式であってもよいし、メーカ独自の形式をもったものであってもよい。メーカ管理ＤＢ５１ａ，５２ａは、それぞれ、メーカ商品サーバ５１，５２の内部にあっても外部にあってもよい。なお、本例では、２つのメーカ商品サーバ５１，５２を備える構成としているが、メーカ商品サーバはいくつ備えられていてもよい。
【００２２】
図２は、小売チェーンＡに設置されている小売店サーバ３１が備える小売チェーン商品マスタＤＢ３１ａに格納されるＰＯＳ情報の例を示す説明図である。図２に示すように、ＰＯＳ情報は、商品名と、インストアコードと、チェーン側商品カルテ番号（チェーン側商品カルテコードの一例）と、商品の値段とを含む。インストアコードは、ＪＡＮ形式などの特定の標準形式であってもよいし、店舗独自の形式をもったものであってもよい。インストアコードは、該当する小売チェーンＡ内のＰＯＳシステムにおいて所定の商品に対応付けて現在使用されているＰＯＳコードである。チェーン側商品カルテ番号は、各小売チェーンによって商品に一意に独自に割り振られるコードであって、ＪＡＮ形式などの特定の標準形式であってもよいし、小売チェーン独自の形式をもったものであってもよい。
【００２３】
図２に示すように、商品名としては、缶詰Ａ、調味料Ａなどの商品の名称及び／又はサプライヤー名（メーカー名）が設定される。また、値段には、個数や重さ毎の販売単位の値段が設定される。
【００２４】
ＰＯＳ情報は、各小売店サーバ３１〜３Ｎが備える各小売チェーン商品マスタＤＢ３１ａ〜３Ｎａにそれぞれ格納されている。また、ＰＯＳ情報は、各店舗に採用されているＰＯＳシステムによって、同じ商品であっても、異なるインストアコードが設定されたり、異なるチェーン側商品カルテ番号が設定される場合がある。
【００２５】
図３は、コード管理ＤＢ１１に格納されるカルテ管理情報の例を示す説明図である。図３に示すように、カルテ管理情報は、商品カルテ番号と、チェーン側商品カルテ番号と、適用期間とが対応付けされた情報である。適用期間は、該当するチェーン側商品カルテ番号がある商品に適用されている期間を意味し、現在も適用されている場合には期間終了日が確定できないため「使用継続中（適用中）」が設定される。なお、適用期間は、日単位でなく、月、週、時間、分、秒単位で管理するようにしてもよい。なお、カルテ管理情報は、小売チェーン毎に作成され、コード管理ＤＢ１１に格納される。図３に示すカルテ管理情報は、小売チェーンＡに対応するものの例である。このチェーン側商品カルテ番号は、設定あるいは変更（使用の中止を含む）があったものについて、例えば定期的（日毎など）に、対応する商品カルテ番号とともに各小売店サーバ３１〜３Ｎから取得する。
【００２６】
図４は、コード管理ＤＢ１１に格納されるコード管理情報の例を示す説明図である。図４に示すように、コード管理情報は、商品名と、商品カルテ番号と、小売チェーン名と、インストアコードと、適用期間とが対応付けされた情報である。適用期間は、該当するインストアコードがある商品に適用されている期間を意味し、現在も適用されている場合には期間終了日が確定できないため「使用継続中（適用中）」が設定される。なお、適用期間は、日単位でなく、月、週、時間、分、秒単位で管理するようにしてもよい。
【００２７】
図３と図４において、コード管理情報とカルテ管理情報とを別個に説明したが、小売チェーン名と商品カルテ番号によって対応付けすることが可能であるため、カルテ管理情報を含むコード管理情報であるとしてもよい。
【００２８】
次に、本例のコード管理システム１００の動作について説明する。
図５は、本例のコード管理システム１００におけるコード管理サーバ１０が実行するコード管理情報登録処理の例を示すフローチャートである。コード管理情報登録処理は、例えば、コード管理サーバ１０のオペレータにより指示があったとき、あるいは定期的（例えば１日１回早朝あるいは深夜など）に実行される。
【００２９】
コード管理情報登録処理において、先ず、コード管理サーバ１０は、メーカ生産管理ＤＢ１２に格納されているメーカ生産管理情報のうち、新規に登録（前回取得したとき以降の登録）されていたメーカ生産管理情報を読み出す（ステップＳ１０１）。
【００３０】
次いで、コード管理サーバ１０は、取得したメーカ生産管理情報に含まれている商品名と商品カルテ番号とをコード管理ＤＢ１１に格納されているコード管理情報の該当項目に新たに登録する（ステップＳ１０２）。
【００３１】
次に、コード管理サーバ１０は、各小売店サーバ３１〜３Ｎから、新規に登録（前回取得したとき以降の登録）されたＰＯＳ情報と、登録が抹消されたＰＯＳ情報とを取得する（ステップＳ１０３）。なお、ステップＳ１０３では、ＰＯＳ情報のうち、商品カルテ番号と、チェーン側商品カルテ番号と、インストアコードだけを取得するようにしてもよい。また、本例では、ステップＳ１０３にて、ＰＯＳ情報の登録日や登録抹消日をも取得する。
【００３２】
そして、コード管理サーバ１０は、新規登録の場合には、ステップＳ１０３にて取得した商品カルテ番号に対応付けして、ステップＳ１０３にて取得したＰＯＳ情報に含まれているインストアコードが新規であればそのインストアコードを登録するとともに適用期間の始期を登録し、ステップＳ１０３にて取得したＰＯＳ情報に含まれているチェーン側商品カルテ番号が新規であればそのチェーン側商品カルテ番号を登録するとともに適用期間の始期を登録する（ステップＳ１０４）。また、コード管理サーバ１０は、終期登録の場合には、ステップＳ１０３にて取得した商品カルテ番号に対応付けして、ステップＳ１０３にて取得したＰＯＳ情報に含まれているインストアコードが使用中止されるのであればそのインストアコードに対応付けして適用期間の終期を登録し、ステップＳ１０３にて取得したＰＯＳ情報に含まれているチェーン側商品カルテ番号が使用中止されるのであればそのチェーン側商品カルテ番号に対応付けして適用期間の終期を登録する（ステップＳ１０４）。
【００３３】
図６は、本例のコード管理システム１００が実行する商品検索処理の例を示すフローチャートである。ここでは、小売店サーバ３１のオペレータにより指定されたインストアコードにもとづいて、各小売チェーンで別個のインストアコードが付与されて販売されている商品が検索される場合を例に説明する。
【００３４】
商品検索処理において、小売店サーバ３１は、自己が備える入力装置の操作によりオペレータにより入力されたインストアコード（例えば「Ａ０００８７９１」）を受け付ける（ステップＳ２０１）。また、小売店サーバ３１は、自己が備える入力装置の操作によりオペレータにより入力された検索対象日付（例えば２００６年１０月１５日）を受け付ける（ステップＳ２０２）。
【００３５】
次に、小売店サーバ３１は、小売チェーン商品マスタＤＢ３１ａを参照して、ステップＳ１０１にて受け付けたインストアコードに対応付けされ、ステップＳ２０２にて受け付けた日付が適用期間中に含まれているチェーン側商品カルテ番号（例えば「Ｙ０００５５６８」）を検索し、抽出する（ステップＳ２０３）。
【００３６】
そして、小売店サーバ３１は、検索したチェーン側商品カルテ番号とステップＳ２０２にて受け付けた検索対象日付とを含む検索依頼情報を、通信ネットワーク４０を介してコード管理サーバ１０に向けて送信する（ステップＳ２０４）。
【００３７】
コード管理サーバ１０は、小売店サーバ３１からの検索依頼情報を受信し、受け付けた検索依頼情報に含まれているチェーン側商品カルテ番号及び検索対象日付を受け付ける（ステップＳ２０５）。
【００３８】
次に、コード管理サーバ１０は、コード管理ＤＢ１１を参照して、ステップＳ２０５にて受け付けたチェーン側商品カルテ番号に対応付けされた商品カルテ番号（例えばＫ０００４５７）、ステップＳ２０５にて受け付けた日付が適用期間中に含まれているコード管理情報を検索し、抽出する（ステップＳ２０６）。そして、コード管理サーバ１０は、検索結果（検索したコード管理情報）を、通信ネットワーク４０を介して小売店サーバ３１に送信する（ステップＳ２０７）。
【００３９】
小売店サーバ３１は、コード管理サーバ１０からの検索結果であるコード管理情報を受信し、受信したコード管理情報にもとづいて検索結果画面情報を生成し、自己が備える表示装置の表示画面上に、検索結果画面情報が示す検索結果画面を表示する（ステップＳ２０８）。検索結果画面は、例えば図７に示すように、検索条件を表示する検索条件表示領域２０１と、検索結果を表示する検索結果表示領域２０２とが設けられている。
【００４０】
図７には、検索条件としてチェーン側商品カルテ番号「Ｙ０００５５６８」及び日付「２００６年１０月１５日」が指定された場合の検索結果の例が示されている。図７に示すように、検索結果として、チェーン側商品カルテ番号「Ｙ０００５５６８」に対応する商品カルテ番号が商品カルテ番号「Ｋ０００４５７」であり、その商品カルテ番号「Ｋ０００４５７」が示す商品が商品名「缶詰Ａ」であり、指定された日「１０月１５日」においては、５つの小売チェーンＡ，Ｂ，Ｄ，Ｆ，Ｈにおいて、それぞれ別個のインストアコードが使用されていたことが示されている。この検索結果によって、メーカＡによってメーカコード「Ｘ０００３４５７」が付与された商品名「缶詰Ａ」の商品は、２００６年１０月１５日において、ＪＡＮコード「０００１２３」が付与されていて、各小売チェーンＡ，Ｂ，Ｄ，Ｆ，Ｈで、領域２０２に表示されたインストアコードが適用されて販売されていたことを確認することができる。
【００４１】
なお、上記の例では、ステップＳ２０２にて日付を受け付けることとしていたが、例えば図８に示すように、検索対象の日付の範囲を受け付けるようにしてもよい。この場合、小売店サーバ３１は、小売チェーン商品マスタＤＢ３１ａを参照して、ステップＳ１０１にて受け付けたインストアコードに対応付けされ、ステップＳ２０２にて受け付けた日付範囲が適用期間中に含まれているチェーン側商品カルテ番号を検索し、抽出する（ステップＳ２０３）また、小売店サーバ３１は、検索したチェーン側商品カルテ番号とステップＳ２０２にて受け付けた検索対象日付範囲とを含む検索依頼情報を、通信ネットワーク４０を介してコード管理サーバ１０に向けて送信する（ステップＳ２０４）。コード管理サーバ１０は、コード管理ＤＢ１１を参照して、ステップＳ２０５にて受け付けたチェーン側商品カルテ番号に対応付けされ、ステップＳ２０５にて受け付けた日付範囲が適用期間中に含まれているコード管理情報を検索し、抽出する（ステップＳ２０６）。そして、小売店サーバ３１にて表示される検索結果画面は、例えば図９に示すようになる。
【００４２】
図９には、検索条件としてインストアコード「Ａ０００８９７１」及び日付範囲「２００６年１０月１５日〜１８日」が指定された場合の検索結果の例が示されている。図９に示すように、検索結果として、対応する商品カルテ番号が商品カルテ番号「Ｋ０００４５７」であり、その商品カルテ番号が示す商品が商品名「缶詰Ａ」であり、小売チェーンＡでは１５日と１６日〜１８日とで別個のインストアコードが適用されていて、その他の４つの小売チェーンＢ，Ｄ，Ｆ，Ｈでは指定された期間中はそれぞれ同一のインストアコードが使用されていたことが示されている。この検索結果によって、インストアコード「Ａ０００８９７１」が付与された商品名「缶詰Ａ」の商品は、２００６年１０月１５日〜１８日において、各小売チェーンＡ，Ｂ，Ｄ，Ｆ，Ｈで、領域２０２に表示されたインストアコードが適用されて販売されていたことを確認することができる。
【００４３】
なお、上記の例では、コード管理情報の一部を抽出して検索結果画面に表示することとしていたが、コード管理情報の全部を抽出して検索結果画面に表示するようにしてもよい。また、上記の例では、検索結果画面を表示する構成としていたが、印刷することとしてもよく、音声により検索結果を出力することとしてもよい。
【００４４】
以上に説明したように、上述した一実施の形態では、小売店サーバ３１が、検索対象の商品に付与されているインストアコードの指定を受け付け、受け付けたインストアコードに対応するチェーン側商品カルテ番号を、小売チェーン商品マスタＤＢ３１ａを参照して検索し、検索したチェーン側商品カルテ番号を含む検索依頼情報を送信し、そして、コード管理サーバ１０からの検索結果情報を出力（例えば表示）する構成としている。また、コード管理サーバ１０９が、商品カルテ番号と、その商品カルテ番号が示す商品に各小売チェーンにおいて付与されているインストアコードと、その商品カルテ番号に対応するチェーン側商品カルテ番号とを含むコード管理情報を格納するコード管理ＤＢ１１を備え、小売店サーバ３１からの検索依頼情報を受け付け、受け付けた検索依頼情報に含まれているチェーン側商品カルテ番号を含むコード管理情報をコード管理ＤＢ１１を参照して検索し、検索したコード管理情報の一部または全部を抽出し、抽出したコード管理情報の一部または全部を検索結果情報として小売店サーバ３１に送信する構成としている。従って、小売チェーン側において、自店舗で使用しているインストアコードをキーとして、統一することなく複数の店舗間で別個に付与されて用いられているインストアコードが示す各商品の同一性を容易に確認することができるようになる。よって、複数の店舗間における販売状況等を円滑に集計することが可能となる。
【００４５】
また、上述した実施の形態では、コード管理情報に、インストアコードの適用期間とチェーン側商品カルテコードの適用期間とを含み、小売店サーバ３１が検索する日付の指定を受け付け、受け付けたインストアコードに対応するチェーン側商品カルテ番号のうち受け付けた日付を含む適用期間が対応付けされているチェーン側商品カルテ番号を検索し、検索したチェーン側商品カルテ番号と受け付けた日付とを含む検索依頼情報を送信し、コード管理サーバ１０が、検索依頼情報に含まれているチェーン側商品カルテ番号のうちその検索依頼情報に含まれている日付を含む適用期間が対応付けされているチェーン側商品カルテ番号を含むコード管理情報を検索する構成としているので、指定された日付において、該当する商品カルテ番号が示す商品に適用されていたインストアコードを検索して抽出することができ、指定された日付における各小売チェーンでの商品の同一性を容易に確認することができるようになる。すなわち、具体的には、例えば「指定された日において、該当する商品カルテ番号が示す商品Ａが、小売チェーンＡ，Ｂ，Ｃにて販売されていた」といったことを容易に確認することができる。
【００４６】
また、上述した実施の形態では、コード管理サーバ１０が、商品を生産あるいは製造したメーカによってその商品に付与された商品カルテ番号を含むメーカ管理情報を取得し、取得したメーカ管理情報をコード管理ＤＢ１１ａに登録する構成としたので、新たに商品カルテ番号が付与されたときに、その新規の商品カルテ番号や商品名をコード管理ＤＢ１１に登録することができる。
【００４７】
また、上述した実施の形態では、コード管理サーバ１０が、各小売チェーンにおいて管理される各小売店サーバ３１から、インストアコードとそのインストアコードが付与されている商品のチェーン側商品カルテ番号とを含む小売店管理情報を取得し、コード管理ＤＢ１１ａに登録されている商品カルテ番号のうち取得したチェーン側商品カルテ番号に対応して登録されている商品カルテ番号に対応付けして、各小売店サーバ３１から取得したインストアコードを登録する構成としたので、各小売チェーンで新たにインストアコードが付与されたときや、インストアコードの適用商品が変更されたとき、各小売チェーンで新たにチェーン側商品カルテ番号が付与されたときや、チェーン側商品カルテ番号の適用商品が変更されたときに、コード管理ＤＢ１１のコード管理情報を適切に更新することが可能となる。
【００４８】
また、上述した実施の形態では、コード管理サーバ１０が、コード管理ＤＢ１１ａに登録されている商品カルテ番号のうち、各小売店サーバ３１から取得したチェーン側商品カルテ番号に対応する商品カルテ番号に対応付けして、インストアコードの適用期間を登録あるいは更新する構成としているので、各小売チェーンで新たにインストアコードが付与されたときや、インストアコードの適用商品が変更されたとき、各小売チェーンで新たにチェーン側商品カルテ番号が付与されたときや、チェーン側商品カルテ番号の適用商品が変更されたときに、コード管理ＤＢ１１のコード管理情報における適用期間を適切に更新することが可能となる。
【００４９】
なお、上述した実施の形態では、インストアコードを使用する構成としていたが、コード管理情報が、インストアコードに替えて、あるいはインストアコードとともに、商品識別コードが示す商品に各小売チェーンにおいて付与される図形コードを含むこととされていてもよい。すなわち、インストアコードに替えて、あるいはインストアコードとともに、各小売チェーンにてプライベートに使用される図形コードを用いることとしてもよい。
【産業上の利用可能性】
【００５０】
本発明によれば、小売チェーン側において、インストアコードをキーとして、統一することなく複数の店舗間で別個に付与されて用いられているインストアコードが示す各商品の同一性を容易に確認するのに有用である。
【図面の簡単な説明】
【００５１】
【図１】本発明の一実施の形態に係るコード管理システムの構成の例を示すブロック図である。
【図３】ＰＯＳ情報の例を示す説明図である。
【図２】カルテ管理情報の例を示す説明図である。
【図４】コード管理情報の例を示す説明図である。
【図５】コード管理情報登録処理の例を示すフローチャートである。
【図６】商品検索処理の例を示すフローチャートである。
【図７】検索結果画面の例を示す説明図である。
【図８】商品検索処理の例を示すフローチャートである。
【図９】検索結果画面の例を示す説明図である。
【符号の説明】
【００５２】
１０        コード管理サーバ
１１        コード管理ＤＢ
２０        商品マスタサーバ
３１〜３Ｎ  小売店サーバ
４０        通信ネットワーク
５１，５２  メーカ商品サーバ
１００      コード管理システム
【図１】
2008217174.tif 000003
【図２】
2008217174.tif 000004
【図３】
2008217174.tif 000005
【図４】
2008217174.tif 000006
【図５】
2008217174.tif 000007
【図６】
2008217174.tif 000008
【図７】
2008217174.tif 000009
【図８】
2008217174.tif 000010
【図９】
2008217174.tif 000011